(57)【要約】【課題】情報を記録する記録ディスクを載置するトレイに、記録ディスクを格納してあるカートリッジを載置し、トレイを筐体に退入させたときに、筐体の内側に設けてあり、記録ディスクを挟持するクランパの移動を制限し、クランパのカートリッジへの接触を防止することができるディスク駆動装置を提供する。【解決手段】クランパを保持する保持部材に接近して前記保持部材を係止する係止部材６０と、該係止部材６０に連結してあり、カートリッジに当接して係止部材６０を押圧する押圧部材５０とを設け、カートリッジを載置してあるトレイを筐体に退入させたときに、前記押圧部材５０をカートリッジに当接させて前記係止部材６０を押圧し、前記係止部材６０を保持部材に接近させて、前記保持部材を係止する構成とした。【選択図】図１０
2009020982.tif 000002
【特許請求の範囲】
【請求項１】
情報を記録する記録ディスク又は記録ディスクを格納してあるカートリッジを載置し、筐体に出入するトレイと、前記筐体にて前記トレイの一面側に配置してあり、記録ディスクを回転させるターンテーブルと、該ターンテーブルとの間で記録ディスクを挟持するクランパと、前記筐体にて前記トレイの他面側に配置してあり、前記クランパを保持する保持部材と、前記トレイの出入に基づいて前記保持部材を移動させ、前記クランパを記録ディスクに接離させるカム部材とを備えるディスク駆動装置において、
前記保持部材に接近して、前記保持部材に当接すべき位置に至り、前記保持部材を係止する係止部材と、
該係止部材に連結してあり、前記カートリッジに当接して前記係止部材を押圧する押圧部材と
を備えることを特徴とするディスク駆動装置。
【請求項２】
前記係止部材を前記保持部材から離間させる付勢部材を備えることを特徴とする請求項１に記載のディスク駆動装置。
【請求項３】
前記トレイはカム部を備えており、前記押圧部材は、該カム部に当接し、前記押圧部材を記録ディスクから離間させるカム受部を備えることを特徴とする請求項１又は２に記載のディスク駆動装置。
【請求項４】
前記トレイが前記筐体に退入し、前記クランパが記録ディスクの近傍に至ったときに、前記カム部が前記カム受部に当接するように前記カム部及びカム受部を配置してあることを特徴とする請求項３に記載のディスク駆動装置。 
【発明の詳細な説明】
【技術分野】
【０００１】
本発明は、情報を記録する記録ディスクを格納してあるカートリッジを装填するときに、該カートリッジの損傷を防ぐことができるディスク駆動装置に関する。
【背景技術】
【０００２】
音声又は映像等の情報を記録するために、ＣＤ、ＤＶＤ等の記録ディスクが従来から使用されている。該記録ディスクに対し情報を記録又は再生するディスク駆動装置は、筐体に出入し、中央に開口部を備えるトレイと、該トレイの一面側に配設してあるターンテーブルと、前記トレイの他面側に配設してあり、前記ターンテーブルとの間で前記記録ディスクを挟持するクランパと、該クランパを保持する保持部材とを備えており、該トレイに記録ディスクを載置して前記筐体に装填したときに、前記ターンテーブルが、前記開口部を通って記録ディスクに当接し、前記保持部材が前記記録ディスクに接近して、前記記録ディスクの中央部を、前記クランパ及びターンテーブルの間で挟持し、前記記録ディスクを回転させる構成にしてある。
【０００３】
前記ディスク駆動装置は、記録ディスクを格納しており、記録ディスクの記録面側を覆うカートリッジ（以下、ベアバックカートリッジという。）、又は記録ディスクを格納しており、記録ディスクの全体を覆うカートリッジ（以下、フルカートリッジという。）について、共用される場合がある。
【０００４】
ベアバックカートリッジは、記録面側にシャッター部分を備えており、前記ディスク駆動装置に、前記ベアバックカートリッジが装填されたときに、前記シャッター部分が開き、前記ターンテーブルを前記シャッター部分に挿入して、カートリッジに格納してある記録ディスクを前記ターンテーブル及びクランパの間で挟持する。
【０００５】
フルカートリッジは記録面側にシャッター部分を備え、非記録面側に回転可能なチャッキング板を備えており、前記ディスク駆動装置に、前記フルカートリッジが装填されたときに、前記シャッター部分が開き、前記ターンテーブルを前記シャッター部分に挿入して、カートリッジに格納してある記録ディスクを前記ターンテーブル及びチャッキング板の間で挟持する。
【０００６】
前記クランパは、前記トレイが前記筐体の奥に退入するに連れて、前記トレイに接近する構成となっている。そのため前記フルカートリッジを前記トレイに載置してあるときに、前記クランパが前記フルカートリッジに接近して、カートリッジの中央部に接触し、カートリッジ又はカートリッジに貼付してあるラベルを損傷する場合があった（特許文献１参照）。
【０００７】
そこで前記クランパにローラを連結して、前記クランパが前記フルカートリッジに接近しているときに、前記ローラをカートリッジに当接させて、前記クランパのカートリッジへの接触を防ぎ、クランパがカートリッジ又はラベルを損傷することを防止していた（特許文献２参照）。
【特許文献１】特開平１０−３１２６２８号公報
【特許文献２】特開２００６−１６４４０４号公報
【発明の開示】
【発明が解決しようとする課題】
【０００８】
前記クランパは、記録ディスクの中央部を挟着するようにフルカートリッジに接近するので、前記ローラはカートリッジの中央部を押圧する。カートリッジの中央部は、端部に比べて撓み易くなっており、前記ローラにより繰り返し押圧を受けた場合にカートリッジが変形する虞がある。そのためフルカートリッジを前記ディスク駆動装置に装填するときは前記クランパの移動を制限する一方で、前記記録ディスク又はベアバックカートリッジを装填するときは、前記クランパにより前記記録ディスク又はベアバックカートリッジに格納してある記録ディスクを挟持することが望ましい。
【０００９】
本発明は斯かる事情に鑑みてなされたものであり、前記保持部材に接近して前記保持部材を係止する係止部材を設け、該係止部材に連結してあり、前記カートリッジに当接して前記係止部材を押圧する押圧部材を設けることにより、前記フルカートリッジを前記トレイに載置して、前記トレイが前記筐体に退入するときに、前記押圧部材をカートリッジに当接させて前記係止部材を押圧し、前記係止部材を前記保持部材に接近させ、前記保持部材を係止して、前記クランパの移動を制限し、前記クランパのカートリッジへの接触を防止することができるディスク駆動装置を提供することを目的とする。
【００１０】
また前記係止部材を前記保持部材から離間させる付勢部材を設けることにより、前記記録ディスク又はベアバックカートリッジを前記トレイに載置して、前記トレイが前記筐体に退入するときに、前記係止部材を前記保持部材から離間させて、前記保持部材を係止せず、前記クランパを記録ディスクに近接させて、記録ディスクを前記クランパ及びターンテーブルの間で挟持することができるディスク駆動装置を提供することを目的とする。
【００１１】
また前記トレイにカム部を設け、該カム部に当接するカム受部を前記押圧部材に設けることにより、前記記録ディスク又はベアバックカートリッジを前記トレイに載置して、前記トレイが前記筐体に退入するときに、前記カム部を前記カム受部に当接させて、カートリッジに当接したときの位置の近傍に前記押圧部材を移動させ、前記押圧部材を記録ディスクから離間させて、前記押圧部材が記録ディスクの回転を妨げる虞を低減することができるディスク駆動装置を提供することを目的とする。
【００１２】
また前記記録ディスク又はベアバックカートリッジを載置したトレイが前記筐体に退入し、前記クランパが記録ディスクの近傍に至ったときに、前記カム部が前記カム受部に当接するように前記カム部を配置することにより、前記カム部を前記カム受部に当接させたときに、カートリッジに当接したときの位置の近傍に前記押圧部材は移動し、前記係止部材は前記保持部材を係止すべき位置に移動するが、前記係止部材が前記保持部材を係止すべき位置に移動したときには、前記保持部材は前記記録ディスクに近接し、前記係止部材に係止される位置に存在しないので、前記保持部材は前記係止部材により係止されず、記録ディスクを前記クランパにより挟着することができるディスク駆動装置を提供することを目的とする。
【課題を解決するための手段】
【００１３】
本発明に係るディスク駆動装置は、情報を記録する記録ディスク又は記録ディスクを格納してあるカートリッジを載置し、筐体に出入するトレイと、前記筐体にて前記トレイの一面側に配置してあり、記録ディスクを回転させるターンテーブルと、該ターンテーブルとの間で記録ディスクを挟持するクランパと、前記筐体にて前記トレイの他面側に配置してあり、前記クランパを保持する保持部材と、前記トレイの出入に基づいて前記保持部材を移動させ、前記クランパを記録ディスクに接離させるカム部材とを備えるディスク駆動装置において、前記保持部材に接近して、前記保持部材に当接すべき位置に至り、前記保持部材を係止する係止部材と、該係止部材に連結してあり、前記カートリッジに当接して前記係止部材を押圧する押圧部材とを備えることを特徴とする。
【００１４】
本発明にあっては、前記保持部材に接近して前記保持部材を係止する係止部材を設け、該係止部材に連結してあり、カートリッジに当接して前記係止部材を押圧する押圧部材を設けることにより、前記フルカートリッジを前記トレイに載置して、前記トレイが前記筐体に退入するときに、前記押圧部材をカートリッジに当接させて前記係止部材を押圧し、前記係止部材を記保持部材に接近させ、前記保持部材を係止して、前記クランパの移動を制限する。
【００１５】
また本発明に係るディスク駆動装置は、前記係止部材を前記保持部材から離間させる付勢部材を備えることを特徴とする。
【００１６】
本発明にあっては、前記係止部材を前記保持部材から離間させる付勢部材を設けることにより、前記記録ディスク又はベアバックカートリッジを前記トレイに載置して、前記トレイが前記筐体に退入するときに、前記係止部材を前記保持部材から離間させて、前記保持部材を係止せず、前記クランパを記録ディスクに近接させる。
【００１７】
また本発明に係るディスク駆動装置は、前記トレイはカム部を備えており、前記押圧部材は、該カム部に当接し、前記押圧部材を記録ディスクから離間させるカム受部を備えることを特徴とする。
【００１８】
本発明にあっては、前記トレイにカム部を設け、該カム部に当接するカム受部を前記押圧部材に設けることにより、前記記録ディスク又はベアバックカートリッジを前記トレイに載置して、前記トレイが前記筐体に退入するときに、前記カム部を前記カム受部に当接させて、カートリッジに当接したときの位置の近傍に前記押圧部材を移動させ、前記押圧部材を記録ディスクから離間させる。
【００１９】
また本発明に係るディスク駆動装置は、前記トレイが前記筐体に退入し、前記クランパが記録ディスクの近傍に至ったときに、前記カム部が前記カム受部に当接するように前記カム部及びカム受部を配置してあることを特徴とする。
【００２０】
本発明にあっては、前記記録ディスク又はベアバックカートリッジを載置したトレイが前記筐体に退入し、前記クランパが記録ディスクの近傍に至ったときに、前記カム部が前記カム受部に当接するように前記カム部を配置することにより、前記カム部を前記カム受部に当接させたときに、カートリッジに当接したときの位置の近傍に前記押圧部材は移動し、前記係止部材は前記保持部材を係止すべき位置に移動するが、前記係止部材が前記保持部材を係止すべき位置に移動したときには、前記保持部材は前記記録ディスクに近接し、前記係止部材に係止される位置に存在しないので、前記保持部材は前記係止部材により係止されない。
【発明の効果】
【００２１】
本発明においては、前記保持部材に接近して前記保持部材を係止する係止部材を設け、該係止部材に連結してあり、前記カートリッジに当接して前記係止部材を押圧する押圧部材を設けることにより、前記フルカートリッジを前記トレイに載置して、前記トレイが前記筐体に退入するときに、前記押圧部材をカートリッジに当接させて前記係止部材を押圧し、前記係止部材を前記保持部材に接近させ、前記保持部材を係止して、前記クランパの移動を制限し、前記クランパのカートリッジへの接触を防止することができる。
【発明を実施するための最良の形態】
【００２２】
以下本発明を実施の形態に係るディスク駆動装置を示す図面に基づいて詳述する。
図１は実施の形態に係るディスク駆動装置の略示斜視図、図２はトレイの略示斜視図、図３はターンテーブルの揺動を説明する説明図、図４及び図５はターンテーブルの位置を示す模式的側面図、図６はフルカートリッジを載置したトレイが筐体に退入した状態でのディスク駆動装置の略示斜視図、図７は保持部材付近での要部構成の略示分解斜視図、図８はフルカートリッジを載置したトレイを筐体から進出させた状態でのディスク駆動装置の略示側面図、図９はフルカートリッジを載置したトレイを筐体から進出させた状態でのディスク駆動装置の略示平面図、図１０は押圧部材及び係止部材を示す模式的斜視図である。
【００２３】
図において１はディスク駆動装置の薄い箱形の筐体であり、平置きにしてある。該筐体１に、記録ディスク７２又はカートリッジを載置する矩形状のトレイ２が退入するか、又は該筐体１から該トレイ２が進出する。前記筐体１の前面に、前記トレイ２が退入するか又は進出する入出口３を設けてある。前記筐体１の内側に、前記筐体１に略平行な板状のトラバースシャーシ６が配設してあり、前記入出口３に対向する前記筐体１の内奥面１ａに枢着部材６ａが設けてある。該枢着部材６ａに前記トラバースシャーシ６を連結してあり、前記トラバースシャーシ６が上下方向に回動し、前記トレイ２の進退に応じて前記記録ディスク７２に離近するようにしてある。該トラバースシャーシ６の上に記録ディスク７２を回転させるターンテーブル４が設けてあり、該ターンテーブル４には図示しないスピンドルモータを連結してある。前記トラバースシャーシ６上であって、該ターンテーブル４の近傍にはディスクの記録面に光を照射して情報を読取る光ピックアップ５を設けてある。
【００２４】
前記トラバースシャーシ６の前記入出口３側周縁部を支持する支持枠７が、前記筐体１の内側に設けてある。前記入出口３に対して直角な側面であって、前記入出口３に向かって右側及び左側にある右側面１ｂ及び左側面１ｃに、二つの連結ピン７ａ、７ａをそれぞれ設けてあり、該連結ピン７ａ、７ａにより前記支持枠７は前記筐体１に連結支持してある。該連結ピン７ａ、７ａを支点にして前記支持枠７は上下方向に揺動し、図３の白抜矢符にて示す如く、前記トラバースシャーシ６が前記枢着部材６ａを支点にして上下に揺動する構成にしてある。前記支持枠７は前記入出口３側部分に、前記入出口３側に突出しており、後述する溝カム９に係合するカムフォロワ８を備える。
【００２５】
前記筐体１の内側にて、前記筐体１の下面１ｄであって前記入出口３の近傍に、後述する溝カム９が摺動する摺動溝１ｅを設けてある。該摺動溝１ｅは前記入出口３に向かって左右に延設してあり、該摺動溝１ｅには板状の溝カム９が係合している。該溝カム９は、板状の本体部９ａと、該本体部９ａの上側端部から前記筐体１の上面１ｆに向けて突起した突起部９ｃとを備えており、前記本体部９ａには、前記左側面１ｃ側から右側面１ｂ側にかけて上向きに傾斜しており、前記カムフォロワ８が係合する傾斜溝９ｂを設けてある。図３の矢印にて示す如く、前記溝カム９が前記摺動溝１ｅに沿って摺動したときに、前記カムフォロワ８は前記傾斜溝９ｂに沿って上下方向に移動し、前記支持枠７が上下に揺動する構成にしてある。
【００２６】
前記トレイ２の底面部２１下側に前記突起部９ｃを案内する案内溝２ｅを延設してある。前記案内溝２ｅは、前記底面部２１の、前記トレイ２の出入方向に平行な側端部に沿った直線部分と、該直線部分に連なり、前記底面部２１の中央部分に向けて湾曲した部分とを備えており、前記トレイ２が前記筐体１に退入し、前記突起部９ｃが前記案内溝２ｅに沿って摺動したときに、該突起部９ｃが前記右側面１ｂ側から左側面１ｃ側に移動するように構成してある。
【００２７】
前記トレイ２が前記筐体１に退入するに連れて、前記突起部９ｃは前記案内溝２ｅに沿って摺動し、前記突起部９ｃを設けてある前記溝カム９が前記右側面１ｂ側から左側面１ｃ側に移動し、図４及び図５に示す如く、溝カム９の傾斜溝９ｂに係合している前記カムフォロワ８は、前記傾斜溝９ｂに沿って上方向に移動し、前記支持枠７を介して前記トラバースシャーシ６が上方向に移動する。そして前記トラバースシャーシ６上に設けてある前記ターンテーブル４及び前記光ピックアップ５は、前記トレイ２に接近する。
【００２８】
図２に示す如く、前記底面部２１の中央部に、前記ターンテーブル４及び光ピックアップ５に対応するテーブル開口部２ｂを開設してある。前記底面部２１上であって、前記テーブル開口部２ｂの周囲部分が、記録ディスク又はカートリッジを載置するディスク載置面になっている。前記底面部２１上であって、前記トレイ２が前記筐体１に退入したときに、前記ディスク載置面２ａより奥側にある部分に、記録ディスク又はカートリッジを押える二つのディスク押え２ｃ、２ｃを並設してある。該ディスク押え２ｃ、２ｃの間の底面部２１に突起部２ｄを設けてある。
【００２９】
前記トレイ２は、トレイ２の出入方向に平行な側壁２０を備えており、該側壁２０の上面にカム部２０ａを立設してある。該カム部２０ａは、前記側壁２０の上面に対し、トレイ２の進出方向に向けて傾斜した傾斜面を有している。また前記カム部２０ａは、前記トレイ２が前記筐体１に退入したときには前記入出口３付近に位置する。
【００３０】
前記上面１ｆに対向しており、前記上面１ｆと略同寸の矩形状のプレート４０が前記筐体１の内側に設けてある。該プレート４０は、前記トレイ２が前記筐体１に退入したときに、前記上面１ｆ及び底面部２１の間に位置し、前記ディスク載置面２ａに対向する。図７に示す如く、前記プレート４０上であって、前記プレート４０の中央部に、クランパ１２を保持する保持部材１０を設けてある。
【００３１】
該保持部材１０は取付枠１１を備えており、該取付枠１１は、矩形の一側をアーチ状にした形状となっており、アーチ部分に沿った略円形の孔部が開設してある。該取付枠１１には、図７に示す如く、円板形の磁石１２ａと、該磁石１２ａを挟持する二つの挟持部材１２ｂ、１２ｂとを備えるクランパ１２を前記孔部にて取付けてあり、該クランパ１２は回転可能に構成してある。また前記取付枠１１は、アーチ部分の反対側に、後述する掛止軸部３３、３３を掛止する二つの掛止孔部１３、１３を備えている。
前記保持部材１０はクランパレバー３０を備えており、該クランパレバー３０はその一端部に前記掛止孔部１３、１３に掛止する二つの掛止軸部３３、３３を備える。前記掛止孔部１３、１３は貫通しており、前記掛止軸部３３、３３を前記掛止孔部１３、１３に挿入して掛止し、前記取付枠１１及びクランパレバー３０を連結してある。
【００３２】
前記掛止軸部３３、３３を支持する二つの軸支部４３、４３を前記プレート４０上に設けてある。該軸支部４３、４３にて、前記掛止孔部１３、１３に挿入した前記掛止軸部３３、３３を支持し、前記保持部材１０を前記プレート４０上に設けてある。なお前記取付枠１１のアーチ部分の頭頂部には、該頭頂部から延出した延出板部１４が設けてある。
【００３３】
前記取付枠１１及びクランパレバー３０には、二つの捩りばねを組合せてなる組合せばね３２を取付けてある。該組合せばね３２は、該組合せばね３２を前記プレート４０に取付けるための二つの取付部を、その先端部分に有しており、前記プレート４０上には、該取付部を挿入する二つの挿入孔をそれぞれ有する二つのばね支持部４２、４２を設けてある。該ばね支持部４２、４２に前記組合せばねの先端部を挿入して、前記組合わせばね３２を取付けてある。
【００３４】
前記プレート４０の前記入出口３寄りに、前記取付枠１１に対応するクランパ開口部４１を開設してあり、該プレート４０の前記内奥面１ａ寄りに、前記クランパレバー３０に対応するレバー開口部４５を開設してある。前記トレイ２が前記筐体１から進出したときには、前記クランパレバー３０が前記レバー開口部４５に挿通し、前記取付枠１１が、前記組合わせばね３２の付勢力により、前記クランパ開口部４１から離間している。
【００３５】
前記クランパレバー３０は、その他端部を、前記レバー開口部４５から前記トレイ２側に向けて延出させてあり、該他端部はトレイ２に設けてある前記突起部２ｄに当接する突起受部３５になっている。該突起受部３５に前記突起部２ｄが当接して、突起受部３５を押圧し、前記組合せばね３２の付勢力に抗して前記取付枠１１が押圧され、前記取付枠１１は前記掛止孔部１３、１３を支点にして回動し、前記クランパ開口部４１に接近して、前記トレイ２に載置された記録ディスク７２を、前記クランパ１２と前記ターンテーブル４との間で挟持する構成になっている。なお図７においてディスク駆動装置の構成の記載を一部省略している。
【００３６】
図９及び図１０に示す如く、前記プレート４０の、前記カム部２０ａに対向する部分に、後述するカム受部５７を通すカム開口部４６を開設してある。該カム開口部４６の隣りに、後述するローラ５５を通すローラ開口部４７を開設してあり、該ローラ開口部４７及びカム開口部４６は、前記トレイ２の出入方向に沿って相隣り合っている。該ローラ開口部４７及びカム開口部４６の間に、後述する軸部５３、５３を支持する二つの軸支板４８、４８を立設してある。該軸支板４８、４８は、前記トレイ２の出入方向に対し平行になっており、互いに対向している。また前記軸支板４８、４８には、後述する軸部５３、５３を挿入する二つの孔をそれぞれ開設してある。
【００３７】
前記プレート４０上であって、前記ローラ開口部４７及びカム開口部４６の上側に、後述する係止部材６０に連結してあり、前記トレイ２に載置されたカートリッジに当接して係止部材６０を押圧する押圧部材５０を配置してある。該押圧部材５０は、前記カム開口部４６上に配置されるブロック状の本体部５１と、該本体部５１の、前記ローラ開口部４７側の側面両端部に、後述するローラ５５を支持する略小判形の二つのローラ支持板５２、５２とを備える。該ローラ支持板５２、５２は、その一端部を前記本体部５１に連ねてあり、互いに対向している。該一端部に、ローラ支持板５２、５２に垂直な二つの軸部５３、５３を外向きに立ち上げてあり、該軸部５３、５３を前記軸支板４８、４８の孔に挿入して、前記押圧部材５０を回動可能に支持してある。
【００３８】
ローラ支持板５２、５２の他端部は、前記ローラ開口部４７に向けて延出しており、二つの該他端部の間に、ローラ支持板５２、５２に垂直なローラ軸５４を横架してある。該ローラ軸５４にはローラ５５を回転可能に支持してあり、該ローラ５５が前記ローラ開口部４７を挿通して、前記トレイ２に載置されたカートリッジに当接するように構成してある。
【００３９】
前記本体部５１の一側面５１ａから、前記トレイ２の出入方向に垂直な方向に延出した延出板５６を設けてある。該延出板５６の先端部分に、前記カム開口部４６に向けて突出している柱状のカム受部５７を連ねてあり、前記カム開口部４６を挿通した該カム受部５７が、前記カム部２０ａに当接するように構成してある。なお、前記一側面５１ａの反対側にある他側面５１ｂには、後述する係合板部６４に係合する係合軸５８を設けてある。
【００４０】
前記プレート４０上であって、前記保持部材１０及び押圧部材５０の間に支持ピン４９ａを立設してあり、該支持ピン４９ａに前記保持部材１０を係止する係止部材６０を支持してある。該係止部材６０は、アーム部６１と、該アーム部６１の一側に設けてあり、前記支持ピン４９ａを挿入する孔を備えるアーム支持板６２と、前記アーム部６１の一端部に連なっており、保持部材１０の前記延出板部１４に当接して前記保持部材１０を係止する係止板部６３と、前記アーム部６１の他端部に連なっており、前記係合軸５８が係合する細長い小判形の貫通穴６４ａを開設してある係合板部６４と、前記アーム部６１の他側にて前記係止板部６３の近傍に設けてあり、後述する付勢ばね６６を掛止する孔を開設してある掛止板部６５とを備える。
【００４１】
前記アーム支持板６２の孔に前記支持ピン４９ａを挿入し、該支持ピン４９ａを支点にして前記係止部材６０を揺動可能に支持してあり、前記貫通穴６４ａに係合した前記係合軸５８が前記係合板部６４を押圧したときに、後述する図１２の矢印にて示す如く、前記係止部材６０が前記保持部材１０に向けて回動するようにしてある。
【００４２】
前記プレート４０上であって、前記係止部材６０を挟んで前記支持ピン４９ａの反対側に、係合ピン４９ｂを立設してあり、該係合ピン４９ｂに付勢ばね６６を係合してある。前記付勢ばね６６は、一端部にフック部分を有し、他端部に円環部分を有するコイルばねであり、前記掛止板部６５の孔に前記フック部分を掛止し、前記係合ピン４９ｂに前記円環部分を係合してある。前記付勢ばね６６の付勢力により、前記係止部材６０が、後述する図１７の矢印にて示す如く、前記支持ピン４９ａを支点にして前記保持部材１０から離間する方向に回動するように構成してある。
【００４３】
次に前記トレイ２を前記筐体１から進出させたディスク駆動装置の状態について説明する。図８に示す如く、前記組合わせばね３２により、前記クランパ１２は前記クランパ開口部４１から離間しており、前記クランパレバー３０の前記突起受部３５は、前記トレイ２が退入すべき位置に向けて延出してある。前記ローラ５５は前記ローラ開口部４７を挿通して、筐体１の内側にて支持されている。また図９に示す如く、前記係合軸５８は前記係合板部６４を押圧せず、前記係止部材６０は前記付勢ばね６６により、前記保持部材１０から離間している。
【００４４】
次にフルカートリッジ７０を載置したトレイ２が筐体１に退入している途中での、ディスク駆動装置の状態について説明する。図１１はフルカートリッジを載置したトレイが筐体に退入している途中でのディスク駆動装置の略示側面図、図１２はフルカートリッジを載置したトレイが筐体に退入している途中でのディスク駆動装置の略示平面図である。
【００４５】
フルカートリッジ７０を載置してあるトレイ２が前記筐体１に退入している途中に、前記ローラ５５が前記フルカートリッジ７０に当接した場合には、図１１に示す如く、前記押圧部材５０が本体部５１側に回動し、前記係合軸５８が前記係合板部６４を押圧する。該押圧により前記アーム部６１は、図１２の矢印にて示す如く、前記付勢ばね６６の付勢力に抗して、前記支持ピン４９ａを支点にして回動し、前記係止板部６３が前記延出板部１４に当接すべき位置に至る。なお前記突起受部３５に、前記突起部２ｄは当接しておらず、前記クランパ１２は、前記組合わせばね３２により前記開口部４１から離間している。
【００４６】
次にフルカートリッジ７０を装填したときの、ディスク駆動装置の状態について説明する。図１３はフルカートリッジを載置したトレイが筐体に退入した状態でのディスク駆動装置の略示側面部分断面図、図１４はフルカートリッジを載置したトレイが筐体に退入した状態でのディスク駆動装置の略示平面図、図１５は係止部材が保持部材を係止している状態を説明する説明図である。
【００４７】
図１３及び図１４に示す如く、前記突起受部３５は、前記突起部２ｄに当接して押圧される。そして前記組合わせばね３２の付勢力に抗して、前記取付枠１１が前記クランパ開口部４１に向けて接近し、前記クランパ１２は前記フルカートリッジ７０に接近する。このとき、前記係止板部６３は前記延出板部１４に当接すべき位置にあり、図１５に示す如く、前記延出板部１４は前記係止板部６３に当接して、前記取付枠１１は係止され、前記クランパ１２は前記フルカートリッジ７０に当接しない。また前記カム受部５７は前記カム部２０ａに当接し、前記本体部５１が前記カム開口部４６側に回動し、前記係合軸５８の前記係合板部６４への押圧が確実に行われ、前記取付枠１１を確実に係止する。また図１３に示す如く、前記ローラ５５は前記フルカートリッジ７０の上側に移動し、前記ローラ５５による前記フルカートリッジ７０への負荷が軽減される。
【００４８】
前記フルカートリッジ７０は、図１３に示す如く、その内側に記録ディスク７２を格納している。前記フルカートリッジ７０は、該記録ディスク７２の記録面側に図示しないシャッター部分を有しており、記録ディスク７２の非記録面側にチャッキング板７０ａを有している。前記トレイ２が前記筐体１に退入するに従い、前記シャッター部分が開扉し、前記ターンテーブル４が前記トレイ２に向けて移動する。前記ターンテーブル４は、前記テーブル開口部２ｂ及びシャッター部分を通過して、前記記録ディスク７２の中央部に当接し、前記チャッキング板７０ａとの間で、前記記録ディスク７２を回転可能に挟持する。
【００４９】
次にベアバックカートリッジ７１を載置したトレイ２が前記筐体１に退入している途中でのディスク駆動装置の状態について説明する。図１６はベアバックカートリッジを載置したトレイが筐体に退入している途中でのディスク駆動装置の略示側面部分断面図、図１７はベアバックカートリッジを載置したトレイが筐体に退入している途中でのディスク駆動装置の略示平面図である。
【００５０】
ベアバックカートリッジ７１が載置してあるトレイ２が前記筐体１に退入している途中に、ベアバックカートリッジ７１の周縁部にあるカートリッジが前記ローラ５５に当接し、前記押圧部材５０が前記本体部５１側に回動して、前記係合軸５８が前記係合板部６４を押圧し、前記アーム部６１は前記付勢ばね６６の付勢力に抗して、前記支持ピン４９ａを支点にして回動するが、前記トレイ２が前記筐体１の奥側に更に移動し、図１６に示す如く、前記ローラ５５が、前記ベアバックカートリッジ７１の開口部７１ａに位置したときには、前記ローラ５５はカートリッジに当接せず、図１７の矢印にて示す如く、前記付勢ばね６６により、前記アーム部６１は、前記支持ピン４９ａを支点にして、前記係止部材６０が前記取付枠１１から離間する方向に回動し、前記係止部材６０は前記取付枠１１を係止しない。
【００５１】
次にベアバックカートリッジ７１を載置したトレイ２が前記筐体１に退入したときのディスク駆動装置の状態について説明する。図１８はベアバックカートリッジを載置したトレイが筐体に退入した状態でのディスク駆動装置の略示斜視図、図１９はベアバックカートリッジを載置したトレイが筐体に退入したときのディスク駆動装置の略示側面部分断面図、図２０はベアバックカートリッジを載置したトレイが筐体に退入したときのディスク駆動装置の略示平面図、図２１はベアバックカートリッジを載置したトレイが筐体に退入したときの係止部材及び保持部材付近の状態を説明する説明図である。
【００５２】
前記ベアバックカートリッジ７１は、図１９に示す如く、その内側に記録ディスク７２を格納している。前記ベアバックカートリッジ７１は、前記記録ディスク７２の記録面側に図示しないシャッター部分を有している。前記トレイ２が前記筐体１に退入するに従い、前記シャッター部分が開扉し、前記ターンテーブル４が前記トレイ２に向けて移動する。前記ターンテーブル４は、前記テーブル開口部２ｂ及びシャッター部分を通過して、前記記録ディスク７２の中央部に当接する。
【００５３】
また図１９及び図２０に示す如く、前記突起受部３５は、前記突起部２ｄに当接して押圧され、前記組合わせばね３２の付勢力に抗して、前記取付枠１１が前記クランパ開口部４１に向けて接近し、前記クランパ１２は前記記録ディスク７２に接近して、前記ターンテーブル４との間で前記記録ディスク７２の中央部を回転可能に挟持する。
【００５４】
前記カム受部５７は前記カム部２０ａに当接し、前記本体部５１が前記カム開口部４６側に回動して、前記押圧部材５０は、図１９に示す如く前記トレイ２に載置してあるカートリッジの上側に移動し、前記ローラ５５は前記記録ディスク７２から離間すると共に、カートリッジを押圧しない位置に至る。また前記係合軸５８が前記係合板部６４を押圧し、図２０の矢印にて示す如く、前記係止板部６３は前記付勢ばね６６に抗して、前記延出板部１４に当接すべき位置に移動する。前記係止板部６３が前記延出板部１４に当接すべき位置に移動したときには、図２１に示す如く、前記延出板部１４は前記クランパ開口部４１を通過して、記録ディスク７２の近傍に位置しており、前記係止部材６０に係止される位置に存在しないので、前記係止板部６３は前記取付枠１１を係止しない。
【００５５】
次に記録ディスク７２を載置したトレイ２が前記筐体１に退入したときのディスク駆動装置の状態について説明する。図２２は記録ディスクを載置したトレイが筐体に退入したときのディスク駆動装置の略示斜視図、図２３は記録ディスクを載置したトレイが筐体に退入したときのディスク駆動装置の略示側面部分断面図である。
【００５６】
前記トレイ２が前記筐体１に退入するに従い、前記ターンテーブル４は前記トレイ２に向けて移動し、図２３に示す如く、前記テーブル開口部２ｂを通過して前記記録ディスク７２の中央部に当接し、前記突起受部３５は、前記突起部２ｄに当接して押圧され、前記組合わせばね３２の付勢力に抗して、前記取付枠１１が前記クランパ開口部４１に向けて接近し、前記クランパ１２は前記記録ディスク７２に接近して、前記ターンテーブル４との間で前記記録ディスク７２の中央部を回転可能に挟持する。前記カム受部５７は前記カム部２０ａに当接し、前記本体部５１が前記カム開口部４６側に回動して、前記ローラ５５は前記記録ディスク７２から離間する。
【００５７】
なお前記係合軸５８が前記係合板部６４を押圧し、前記係止板部６３は前記付勢ばね６６に抗して、前記延出板部１４に当接すべき位置に移動するが、前記係止板部６３が前記延出板部１４に当接すべき位置に移動したときには、前記延出板部１４は前記クランパ開口部４１を通過して、記録ディスク７２の近傍に位置しており、前記係止部材６０に係止される位置に存在しないので、前記係止板部６３は前記取付枠１１を係止しない（図２１参照）。
【００５８】
また記録ディスク７２を載置したトレイ２が前記筐体１に退入している途中でのディスク駆動装置の状態は、前記ベアバックカートリッジ７１を載置したトレイ２が前記筐体１に退入しているときのディスク駆動装置の状態と同様である。また前記トレイ２を進出させるときのディスク駆動装置の状態は、前記トレイ２が退入するときの逆順で変化する。
【００５９】
本発明においては、前記筐体１に、カートリッジに当接する押圧部材５０を設け、該押圧部材５０に、前記保持部材１０に接近して前記保持部材１０を係止する係止部材６０を設けることにより、前記フルカートリッジ７０を前記トレイ２に載置して、前記トレイ２が前記筐体１に退入するときに、前記押圧部材５０のローラ５５をカートリッジに当接させて、前記係止部材６０を押圧し、前記係止部材６０を前記保持部材１０に接近させ、前記保持部材１０を係止して、前記クランパ１２の移動を制限し、前記クランパ１２のカートリッジへの接触を防止することができる。
【００６０】
また本発明においては、前記係止部材６０を前記保持部材１０から離間させる付勢ばね６６を設けることにより、前記記録ディスク７２又はベアバックカートリッジ７１を前記トレイ２に載置して、前記トレイ２が前記筐体１に退入するときに、前記係止部材６０を前記保持部材１０から離間させて、前記保持部材１０を係止せず、前記クランパ１２を記録ディスク７２に近接させて、記録ディスク７２を前記クランパ１２及びターンテーブル４の間で挟持することができる。
【００６１】
また本発明においては、前記トレイ２にカム部２０ａを設け、該カム部２０ａに当接するカム受部５７を前記押圧部材５０に設けることにより、前記記録ディスク７２又はベアバックカートリッジ７１を前記トレイ２に載置して、前記トレイ２が前記筐体１に退入するときに、前記カム部２０ａを前記カム受部５７に当接させて、前記押圧部材５０のローラ５５を、カートリッジに当接したときの位置の近傍に移動させ、前記押圧部材５０を記録ディスク７２から離間させて、前記押圧部材５０のローラ５５が記録ディスク７２の回転を妨げる虞を低減することができる。
【００６２】
また本発明においては、前記記録ディスク７２又はベアバックカートリッジ７１を載置したトレイ２が前記筐体１に退入し、前記クランパ１２が記録ディスク７２に近接したときに、前記カム部２０ａが前記カム受部５７に当接するように前記カム部２０ａを配置することにより、前記カム部２０ａを前記カム受部５７に当接させたときに、カートリッジに当接したときの位置の近傍に前記押圧部材５０のローラ５５は移動し、前記係止部材６０は前記保持部材１０を係止すべき位置に移動するが、前記係止部材６０が前記保持部材１０を係止すべき位置に移動したときには、前記保持部材１０は前記記録ディスク７２の近傍に位置しており、前記係止部材６０に係止される位置に存在しないので、前記保持部材１０は前記係止部材６０により係止されず、記録ディスク７２を前記クランパ１２により挟着することができる。
【００６３】
なお前記傾斜溝９ｂの両端部に、前記溝カム９の摺動方向に平行な二つの平行溝をそれぞれ連ねて、該平行溝に前記カムフォロワ８があるときは、前記ターンテーブル４が上下に移動しないように構成しても良い。また突起部２ｄ及びカム部２０ａはトレイ２と一体に成形されていても良く、別体であっても良い。
【図面の簡単な説明】
【００６４】
【図１】ディスク駆動装置の略示斜視図である。
【図２】ディスク駆動装置のトレイの略示斜視図である。
【図３】ターンテーブルの揺動を説明する説明図である。
【図４】ターンテーブルの位置を示す模式的側面図である。
【図５】ターンテーブルの位置を示す模式的側面図である。
【図６】フルカートリッジを載置したトレイが筐体に退入した状態でのディスク駆動装置の略示斜視図である。
【図７】ディスク駆動装置の保持部材付近での要部構成の略示分解斜視図である。
【図８】フルカートリッジを載置したトレイを筐体から進出させた状態でのディスク駆動装置の略示側面図である。
【図９】フルカートリッジを載置したトレイを筐体から進出させた状態でのディスク駆動装置の略示平面図である。
【図１０】ディスク駆動装置の押圧部材及び係止部材を示す模式的斜視図である。
【図１１】フルカートリッジを載置したトレイが筐体に退入している途中でのディスク駆動装置の略示側面図である。
【図１２】フルカートリッジを載置したトレイが筐体に退入している途中でのディスク駆動装置の略示平面図である。
【図１３】フルカートリッジを載置したトレイが筐体に退入した状態でのディスク駆動装置の略示側面部分断面図である。
【図１４】フルカートリッジを載置したトレイが筐体に退入した状態でのディスク駆動装置の略示平面図である。
【図１５】ディスク駆動装置の係止部材が保持部材を係止している状態を説明する説明図である。
【図１６】ベアバックカートリッジを載置したトレイが筐体に退入している途中でのディスク駆動装置の略示側面部分断面図である。
【図１７】ベアバックカートリッジを載置したトレイが筐体に退入している途中でのディスク駆動装置の略示平面図である。
【図１８】ベアバックカートリッジを載置したトレイが筐体に退入した状態でのディスク駆動装置の略示斜視図である。
【図１９】ベアバックカートリッジを載置したトレイが筐体に退入したときのディスク駆動装置の略示側面部分断面図である。
【図２０】ベアバックカートリッジを載置したトレイが筐体に退入したときのディスク駆動装置の略示平面図である。
【図２１】ベアバックカートリッジを載置したトレイが筐体に退入したときの係止部材及び保持部材付近の状態を説明する説明図である。
【図２２】記録ディスクを載置したトレイが筐体に退入したときのディスク駆動装置の略示斜視図である。
【図２３】記録ディスクを載置したトレイが筐体に退入したときのディスク駆動装置の略示側面部分断面図である。
【符号の説明】
【００６５】
１  筐体
２  トレイ
２ｄ  突起部（カム部材）
３  入出口
４  ターンテーブル
５  光ピックアップ
１２  クランパ
１０  保持部材
１１  取付枠
２０ａ  カム部
３５  突起受部（カム部材）
５０  押圧部材
６０  係止部材
６６  付勢ばね（付勢部材）
５７  カム受部
７０  フルカートリッジ
７０ａ  チャッキング板
７１  ベアバックカートリッジ
７２  記録ディスク
【図１】
2009020982.tif 000003
【図２】
2009020982.tif 000004
【図３】
2009020982.tif 000005
【図４】
2009020982.tif 000006
【図５】
2009020982.tif 000007
【図６】
2009020982.tif 000008
【図７】
2009020982.tif 000009
【図８】
2009020982.tif 000010
【図９】
2009020982.tif 000011
【図１０】
2009020982.tif 000012
【図１１】
2009020982.tif 000013
【図１２】
2009020982.tif 000014
【図１３】
2009020982.tif 000015
【図１４】
2009020982.tif 000016
【図１５】
2009020982.tif 000017
【図１６】
2009020982.tif 000018
【図１７】
2009020982.tif 000019
【図１８】
2009020982.tif 000020
【図１９】
2009020982.tif 000021
【図２０】
2009020982.tif 000022
【図２１】
2009020982.tif 000023
【図２２】
2009020982.tif 000024
【図２３】
2009020982.tif 000025